(57)【要約】【課題】客に応じた精算をする。【解決手段】登録装置は、購入される商品に基づく取引情報を取引毎に登録する登録部と、登録部で登録された取引情報に基づいて当該取引の精算処理を実行させる精算装置を選択する操作を受け付ける第１の操作ボタンと、登録部で登録された取引情報に基づいて当該取引の精算を当該登録装置内で完了させることを宣言する操作を受け付ける第２の操作ボタンと、を表示可能な表示部と、第１の操作ボタンの操作を受け付けた場合に、登録部で登録された取引情報を当該操作によって選択された精算装置で精算可能に送信する送信部と、第２の操作ボタンの操作を受け付けた場合に、登録部で登録された取引情報に基づいて当該取引の精算を完了させるための精算処理を実行する第１精算部とを有し、精算装置は、送信部から送信された取引情報に基づいて精算処理を実行する第２精算部を有する。【選択図】図２
2020009497.tif 000002
【特許請求の範囲】
【請求項１】
登録装置と、複数の精算装置とを含むＰＯＳシステムであって、
前記登録装置は、
購入される商品に基づく取引情報を取引毎に登録する登録部と、
前記登録部で登録された取引情報に基づいて当該取引の精算処理を実行させる精算装置を選択する操作を受け付ける第１の操作ボタンと、前記登録部で登録された取引情報に基づいて当該取引の精算を当該登録装置内で完了させることを宣言する操作を受け付ける第２の操作ボタンと、を表示可能な表示部と、
前記第１の操作ボタンの操作を受け付けた場合に、前記登録部で登録された取引情報を当該操作によって選択された精算装置で精算可能に送信する送信部と、
前記第２の操作ボタンの操作を受け付けた場合に、前記登録部で登録された取引情報に基づいて当該取引の精算を完了させるための精算処理を実行する第１精算部と
を有し、
前記精算装置は、
前記送信部から送信された取引情報に基づいて精算処理を実行する第２精算部
を有することを特徴とするＰＯＳシステム。
【請求項２】
複数の精算装置と通信可能な登録装置であって、
購入される商品に基づく取引情報を取引毎に登録する登録部と、
前記登録部で登録された取引情報に基づいて当該取引の精算処理を実行させる精算装置を選択する操作を受け付ける第１の操作ボタンと、前記登録部で登録された取引情報に基づいて当該取引の精算を当該登録装置内で完了させることを宣言する操作を受け付ける第２の操作ボタンと、を表示可能な表示部と、
前記第１の操作ボタンの操作を受け付けた場合に、前記登録部で登録された取引情報を当該操作によって選択された精算装置で精算可能に送信する送信部と、
前記第２の操作ボタンの操作を受け付けた場合に、前記登録部で登録された取引情報に基づいて当該取引の精算を完了させるための精算処理を実行する精算部と
を備えることを特徴とする登録装置。
【請求項３】
表示部を備え、複数の精算装置と通信可能な登録装置としてコンピュータを機能させるプログラムであって、
前記コンピュータを、
購入される商品に基づく取引情報を取引毎に登録する登録手段、
前記登録手段で登録された取引情報に基づいて当該取引の精算処理を実行させる精算装置を選択する操作を受け付ける第１の操作ボタンと、前記登録手段で登録された取引情報に基づいて当該取引の精算を当該登録装置内で完了させることを宣言する操作を受け付ける第２の操作ボタンと、を前記表示部に表示させる表示制御手段、
前記第１の操作ボタンの操作を受け付けた場合に、前記登録手段で登録された取引情報を当該操作によって選択された精算装置で精算可能に送信する送信手段、
前記第２の操作ボタンの操作を受け付けた場合に、前記登録手段で登録された取引情報に基づいて当該取引の精算を完了させるための精算処理を実行する精算手段
として機能させるプログラム。
【請求項４】
表示部を備え、複数の精算装置と通信可能な登録装置における販売データ処理方法であって、
購入される商品に基づく取引情報を取引毎に登録する登録ステップと、
前記登録ステップで登録された取引情報に基づいて当該取引の精算処理を実行させる精算装置を選択する操作を受け付ける第１の操作ボタンと、前記登録ステップで登録された取引情報に基づいて当該取引の精算を当該登録装置内で完了させることを宣言する操作を受け付ける第２の操作ボタンと、を前記表示部に表示する表示ステップと、
前記第１の操作ボタンの操作を受け付けた場合に、前記登録ステップで登録された取引情報を当該操作によって選択された精算装置で精算可能に送信する送信ステップと、
前記第２の操作ボタンの操作を受け付けた場合に、前記登録ステップで登録された取引情報に基づいて当該取引の精算を完了させるための精算処理を実行する精算ステップと
を含む販売データ処理方法。
【発明の詳細な説明】
【技術分野】
【０００１】
本発明は、ＰＯＳシステム、登録装置、プログラム及び販売データ処理方法に関する。
【背景技術】
【０００２】
金券（品券）を含む複数種類の支払いの種別で請求金額に対する会計業務が処理される会計装置（ＰＯＳ（Ｐｏｉｎｔ  Ｏｆ  Ｓａｌｅｓ）システム）が、特許文献１に開示されている。
【先行技術文献】
【特許文献】
【０００３】
【特許文献１】特許第３５０７２８９号公報
【発明の概要】
【発明が解決しようとする課題】
【０００４】
ところで、商品に付されたバーコードを店員が登録装置にスキャンさせることにより、そのバーコード・データに基づく取引情報を記憶装置に登録し、登録された取引情報により定まる商品の買上金額に基づいて精算を実行するＰＯＳシステムがある。このようなＰＯＳシステムは、登録装置では取引情報の登録のみを済ませ、登録装置とは別の精算装置まで客が移動し、その精算装置を客が自ら操作して現金などにより精算することが、主として想定されている。
【０００５】
しかしながら、特許文献１に開示されたＰＯＳシステムは、客に応じた精算をすることができない、という問題がある。
【０００６】
本発明は、前記の点に鑑みてなされたものであり、客に応じた精算をすることができる技術を提供することを目的とする。
【課題を解決するための手段】
【０００７】
本発明の一態様であるＰＯＳシステムは、登録装置と、複数の精算装置とを含むＰＯＳシステムであって、前記登録装置は、購入される商品に基づく取引情報を取引毎に登録する登録部と、前記登録部で登録された取引情報に基づいて当該取引の精算処理を実行させる精算装置を選択する操作を受け付ける第１の操作ボタンと、前記登録部で登録された取引情報に基づいて当該取引の精算を当該登録装置内で完了させることを宣言する操作を受け付ける第２の操作ボタンと、を表示可能な表示部と、前記第１の操作ボタンの操作を受け付けた場合に、前記登録部で登録された取引情報を当該操作によって選択された精算装置で精算可能に送信する送信部と、前記第２の操作ボタンの操作を受け付けた場合に、前記登録部で登録された取引情報に基づいて当該取引の精算を完了させるための精算処理を実行する第１精算部とを有し、前記精算装置は、前記送信部から送信された取引情報に基づいて精算処理を実行する第２精算部を有する。
【０００８】
また、本発明の他の態様である登録装置は、複数の精算装置と通信可能な登録装置であって、購入される商品に基づく取引情報を取引毎に登録する登録部と、前記登録部で登録された取引情報に基づいて当該取引の精算処理を実行させる精算装置を選択する操作を受け付ける第１の操作ボタンと、前記登録部で登録された取引情報に基づいて当該取引の精算を当該登録装置内で完了させることを宣言する操作を受け付ける第２の操作ボタンと、を表示可能な表示部と、前記第１の操作ボタンの操作を受け付けた場合に、前記登録部で登録された取引情報を当該操作によって選択された精算装置で精算可能に送信する送信部と、前記第２の操作ボタンの操作を受け付けた場合に、前記登録部で登録された取引情報に基づいて当該取引の精算を完了させるための精算処理を実行する精算部とを備える。
【０００９】
また、本発明の他の態様であるプログラムは、表示部を備え、複数の精算装置と通信可能な登録装置としてコンピュータを機能させるプログラムであって、前記コンピュータを、購入される商品に基づく取引情報を取引毎に登録する登録手段、前記登録手段で登録された取引情報に基づいて当該取引の精算処理を実行させる精算装置を選択する操作を受け付ける第１の操作ボタンと、前記登録手段で登録された取引情報に基づいて当該取引の精算を当該登録装置内で完了させることを宣言する操作を受け付ける第２の操作ボタンと、を前記表示部に表示させる表示制御手段、前記第１の操作ボタンの操作を受け付けた場合に、前記登録手段で登録された取引情報を当該操作によって選択された精算装置で精算可能に送信する送信手段、前記第２の操作ボタンの操作を受け付けた場合に、前記登録手段で登録された取引情報に基づいて当該取引の精算を完了させるための精算処理を実行する精算手段として機能させるプログラムである。
【００１０】
また、本発明の他の態様である販売データ処理方法は、表示部を備え、複数の精算装置と通信可能な登録装置における販売データ処理方法であって、購入される商品に基づく取引情報を取引毎に登録する登録ステップと、前記登録ステップで登録された取引情報に基づいて当該取引の精算処理を実行させる精算装置を選択する操作を受け付ける第１の操作ボタンと、前記登録ステップで登録された取引情報に基づいて当該取引の精算を当該登録装置内で完了させることを宣言する操作を受け付ける第２の操作ボタンと、を前記表示部に表示する表示ステップと、前記第１の操作ボタンの操作を受け付けた場合に、前記登録ステップで登録された取引情報を当該操作によって選択された精算装置で精算可能に送信する送信ステップと、前記第２の操作ボタンの操作を受け付けた場合に、前記登録ステップで登録された取引情報に基づいて当該取引の精算を完了させるための精算処理を実行する精算ステップとを含む販売データ処理方法である。
【発明の効果】
【００１１】
本発明によれば、客に応じた精算をすることができる。
【図面の簡単な説明】
【００１２】
【図１】本発明の一実施形態における、ＰＯＳシステムを用いた会計処理の流れを示す概念図である。
【図２】本発明の一実施形態における、ＰＯＳシステムの構成例を示すブロック図である。
【図３】本発明の一実施形態における、登録装置の構成例を示すブロック図である。
【図４】本発明の一実施形態における、登録装置に表示される画像の第１例を示す図である。
【図５】本発明の一実施形態における、登録装置に表示される画像の第２例を示す図である。
【図６】本発明の一実施形態における、会計券の例を示す図である。
【図７】本発明の一実施形態における、品券による精算を実行する登録装置の動作手順を示すフローチャートである。
【図８】本発明の一実施形態における、精算装置の構成例を示すブロック図である。
【図９】本発明の一実施形態における、精算装置に表示されるガイダンス画像の例を示す図である。
【発明を実施するための形態】
【００１３】
本発明の一実施形態について図面を参照して詳細に説明する。図１には、ＰＯＳシステムを用いた会計処理の流れが、概念図により示されている。ＰＯＳシステムは、例えば、店舗に備えられる。ＰＯＳシステムは、登録装置２０と、精算装置３０とを備える。登録装置２０及び精算装置３０は、それぞれ複数でもよい。登録装置２０は、客が購入する商品に付されたバーコードを、店員の操作によりスキャンする。登録装置２０は、バーコード・データに基づいて、商品の取引情報を記憶部に登録する。商品の取引情報には、例えば、取引の識別番号、商品の識別番号、商品の個数を示す情報が含まれていてもよい。
【００１４】
客が購入する全ての商品のバーコードについて、商品の取引情報の登録が完了した場合、登録装置２０は、商品の取引情報の登録の完了を宣言するための操作入力（例えば、店員による完了キーの押下操作）に基づいて、バーコード又は２次元コードを会計券４０（詳細については、図６を用いて後述する）に印刷し、会計券４０を客に発行する。
【００１５】
会計券４０を受け取った客は、精算装置３０まで移動し、精算装置３０が備えるスキャナ部を用いて、会計券４０に印刷されたバーコード又は２次元コードを読み取らせ、その客自身が、精算装置３０の操作キーを操作することにより、取引情報により定まる商品の買上金額（購入された商品の合計金額）を精算する。
【００１６】
図２には、ＰＯＳシステムの構成例が、ブロック図により示されている。ＰＯＳシステムは、ストアコントローラ１０（上位管理装置）を更に備えてもよい。ＰＯＳシステムは、ストアコントローラ１０と、Ｎ台（Ｎは、１以上の整数）の登録装置２０と、Ｍ台（Ｍは、１以上の整数）の精算装置３０とを備える。ストアコントローラ１０と、登録装置２０と、精算装置３０とは、ＬＡＮ（Ｌｏｃａｌ  Ａｒｅａ  Ｎｅｔｗｏｒｋ）１１を介して接続されている。
【００１７】
ストアコントローラ１０は、商品情報（例えば、商品の値段）を、商品マスタデータとして予め記憶する。登録装置２０は、読み取ったバーコード・データに基づいて、商品の取引情報をストアコントローラ１０に登録してもよい。つまり、ストアコントローラ１０は、登録装置２０から送信された取引情報などを記憶してもよい。
【００１８】
なお、登録装置２０には、ストアコントローラ１０に接続されていない登録装置２０と、ＬＡＮ１１を介してストアコントローラ１０に接続されている登録装置２０とが存在してもよい。
【００１９】
まず、登録装置の詳細について説明する。  図３には、登録装置の構成例が、ブロック図により示されている。登録装置２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、スキャナ部２０４と、表示部（店員用）２０５と、表示部（客用）２０５ａと、操作部２０６と、通信部２０７と、ブザー２０８と、レシート印刷手段２０９と、ハードディスク２１０とを備える。これらの各部は、バスを介して、互いに接続されている。
【００２０】
スキャナ部２０４は、商品に付されているバーコード（商品コード）を、光学的に読み取る。
ＲＯＭ２０２は、読み出し専用のメモリであり、登録装置２０を動作させるためのプログラムを予め記憶する。
【００２１】
ＣＰＵ２０１は、中央演算処理装置である。ＣＰＵ２０１は、ＲＯＭ２０２に記憶されているプログラムを読み出して、ＲＡＭ２０３に展開する。ＣＰＵ２０１は、展開したプログラムの各ステップを実行することによって、登録装置２０の各部を制御する。
【００２２】
ＣＰＵ２０１は、スキャナ部２０４に読み取られたバーコード・データに基づいて、商品の取引情報を、ＲＡＭ２０３又はハードディスク２１０に登録する。また、ＣＰＵ１０１は、スキャナ部２０４に読み取られたバーコード・データに基づいて、商品の取引情報を、通信部２０７を介してストアコントローラ１０に登録してもよい。
【００２３】
ＣＰＵ２０１は、客が選択した精算方法（支払方法）を特定する。例えば、ＣＰＵ２０１は、操作部２０６を操作する店員によって入力された、現金、クレジットカード、電子マネー又は品券を示す識別情報に基づいて、客が選択した精算方法を特定する。以下、客が選択した精算方法を示す情報を、「精算方法情報」という。
【００２４】
客は、釣銭に追加する現金を精算装置３０に投入したい旨を、登録装置２０を操作する店員に申し出ることができる。この場合、申し出を受けた店員は、操作部２０６を操作して、精算方法情報をＣＰＵ２０１に入力する。ＣＰＵ２０１は、操作部２０６を介して操作入力された精算方法情報が「現金追加」を示す場合、現金追加フラグを示す値を「有効」に設定する。ここで、現金追加フラグは、釣銭に追加する現金を精算装置３０に投入可能にするか否かを定めるためのフラグである。
【００２５】
また、ＣＰＵ２０１は、特定した精算方法に応じた様式のレシートを印字して、そのレシートを発行するよう、レシート印刷手段２０９を制御する。より具体的には、ＣＰＵ２０１は、特定された精算方法が現金以外による精算方法、例えば、買上金額と同じ額面金額の品券による精算方法である（釣銭の支払いが不要である）場合、自登録装置で精算の済んだ取引情報により定まる商品の明細情報をレシートに印刷し、そのレシートを発行するよう、レシート印刷手段２０９を制御する。つまり、操作部２０６を介して操作入力された精算方法情報が「クレジット宣言」、「電子マネー宣言」、又は、「品券」を示す場合、ＣＰＵ２０１は、自登録装置にて精算処理を実行した後の明細情報が印刷されたレシートを発行するよう、レシート印刷手段２０９に指示する。
【００２６】
一方、ＣＰＵ２０１は、特定された精算方法が少なくとも現金による精算方法を含む場合、取引情報が印刷された会計券４０を発行するよう、レシート印刷手段２０９を制御する。例えば、ＣＰＵ２０１は、特定された精算方法が買上金額よりも額面金額の多い品券による精算方法である（釣銭の支払いが必要である）場合、取引情報などが印刷された会計券４０を発行するよう、レシート印刷手段２０９を制御する。つまり、操作部２０６を介して操作入力された精算方法情報が「現金」又は「会計券」を示す場合、ＣＰＵ２０１は、精算装置３０を客が操作して精算するために必要な情報が印刷された会計券４０を発行するよう、レシート印刷手段２０９に指示する。
【００２７】
ここで、ＣＰＵ２０１は、取引情報を示す識別情報が含められたバーコード又は２次元コードが印刷された会計券４０を発行するよう、レシート印刷手段２０９を制御してもよい。また、ＣＰＵ２０１は、現金追加フラグが含められた（付加された）バーコード又は２次元コードが印刷された会計券４０を発行するよう、レシート印刷手段２０９を制御してもよい。
【００２８】
ＲＡＭ２０３は、種々の情報を記憶する読み出し書き込みメモリである。種々の情報は、例えば、現金追加フラグを示す値である。また、種々の情報は、例えば、買上金額を示す値でもよい。買上金額は、購入された全ての商品の代金の合計金額である。ＲＡＭ２０３には、ＲＯＭ２０２から読み出されたプログラムが展開される。また、ＲＡＭ２０３は、プログラムが実行されることによって生成された各種データを記憶する。
【００２９】
表示部（店員用）２０５は、ＣＲＴ（Ｃａｔｈｏｄｅ  Ｒａｙ  Ｔｕｂｅ）ディスプレイ、液晶ディスプレイ、有機ＥＬ（Ｅｌｅｃｔｒｏ  Ｌｕｍｉｎｅｓｃｅｎｃｅ）ディスプレイなどの表示装置である。表示部（店員用）２０５は、操作キーなどの各種の画像を表示する。
【００３０】
表示部（店員用）２０５は、透明な接点スイッチであるタッチキー（ソフトキー）が設けられたタッチパネルを有する。つまり、表示部（店員用）２０５は、操作部２０６としてのタッチパネルを有する。表示部（店員用）２０５は、モード切替、設定又は登録などの操作入力を、表示された操作キーを介して受け付ける。この設定は、例えば、現金追加フラグを示す値の設定でもよい。
【００３１】
図４には、登録装置に表示される画像の第１例が示されている。表示部（店員用）２０５は、スキャナ部２０４に読み取られたバーコード・データに基づく取引情報を、ＣＰＵ２０１による制御に応じて表示する。例えば、表示部（店員用）２０５は、購入された商品の名称と、商品の値段と、内税であることを示す文字列「内」と、買上点数と、小計（金額）と、合計（買上金額）とを、取引情報により定まる商品の明細情報として、表形式で商品毎に表示する。
【００３２】
表示部（店員用）２０５は、各種の操作キーを表示する。各種の操作キーは、例えば、拡張キーと、電子マネー宣言キー５００と、クレジット宣言キー５１０と、中断キーと、発券キーと、会計券キー５２０と、ＱＲ再発行キーと、扱者画面キーと、登録画面キーと、現金追加キー５５０とである。
【００３３】
電子マネー宣言キー５００、クレジット宣言キー５１０、及び、会計券キー５２０は、取引情報の登録を完了させるための操作キー（完了キー）（宣言手段）である。より具体的には、電子マネー宣言キー５００は、電子マネーによる精算処理を実行することを、ＣＰＵ２０１に宣言するための操作キーである。クレジット宣言キー５１０は、クレジットカードによる精算処理を実行することを、ＣＰＵ２０１に宣言するための操作キーである。
【００３４】
会計券キー５２０は、会計券をレシート印刷手段２０９から発行させるための操作キーである。会計券キー５２０が押下された場合、客は、発行された会計券４０を受け取り、精算装置３０まで移動し、精算装置３０の操作キーを操作することにより、取引情報により定まる買上金額（購入された商品の合計金額）を精算する。
【００３５】
現金追加キー５５０は、釣銭に追加する現金を精算装置３０に投入可能にするための操作キー（宣言手段）である。客は、釣銭に追加する現金を精算装置３０に投入したい旨を、登録装置２０を操作する店員に申し出ることができる。この場合、申し出を受けた店員は、現金追加キー５５０を押下する。現金追加キー５５０が押下された場合、現金追加フラグを示す値は、ＣＰＵ２０１により、有効を示す値（例えば、値１）に設定される。
【００３６】
図５には、登録装置に表示される画像の第２例が示されている。表示部（店員用）２０５は、精算装置選択キー５３０と、会計キー５４０とを表示してもよい。精算装置選択キー５３０は、店員が精算装置３０を選択するための操作キーである。会計キー５４０は、取引情報の登録を完了させるための操作キーである。ＣＰＵ２０１は、精算装置選択キー５３０のいずれかに続いて会計キー５４０が押下された場合、選択された精算装置３０に対して、通信部２０７から取引情報を送信させる。客は、選択された精算装置３０まで移動し、選択された精算装置３０の操作キーを操作することにより、取引情報により定まる買上金額（購入された商品の合計金額）を精算する。
【００３７】
図３に戻り、登録装置の構成例の説明を続ける。表示部（客用）２０５ａは、表示デバイスである。表示部（客用）２０５ａは、液晶ディスプレイなどを用いた発光型の表示デバイスでもよい。表示部（客用）２０５ａは、例えば、７セグメント表示又はドット表示（フルドット表示）により、文字列などの画像を表示する。例えば、表示部（客用）２０５ａは、登録された取引情報、購入された商品の買上金額（合計金額）、精算装置３０で釣銭の支払いがある旨の情報、又は、精算装置３０で不足金額の支払いが必要である旨の情報などを、取引情報の登録を完了した客に対して表示する。
【００３８】
操作部２０６は、登録装置２０を動作させるための操作手段を備える。この操作手段（入力デバイス）は、例えば、キーボード、ポインティングデバイス（マウス、タブレット等）、ボタン又はタッチパネルである。操作手段は、例えば、商品登録の完了を宣言するための完了キー（例えば、会計キー、会計券キーでもよい。）、訂正キー、プリセットキー、数字キー、品券キー、クレジット宣言キー、電子マネー宣言キー、現金追加キーでもよい。
【００３９】
なお、操作手段は、メカキー（ハードキー）などのボタンとして配置されていてもよいし、表示部（店員用）２０５の表示面上に設けられたタッチパネルに、操作キーの画像として表示されてもよい。
【００４０】
通信部２０７は、ネットワークを介して、ストアコントローラ１０及び精算装置３０と通信する。なお、ネットワークは、どのように構成された通信回線（例えば、無線通信回線、有線通信回線）でもよく、ＬＡＮ１１に限らなくてもよい。
ブザー２０８は、ＣＰＵ２０１による制御により、ブザー音を発生させる。
【００４１】
レシート印刷手段２０９は、各種シートに情報を印刷して発行する。各種シートは、例えば、クレジットレシート、電子マネーレシート、品券レシート、又は、会計券である。ここで、クレジットレシートは、クレジット宣言キーが押下されて、登録装置２０での精算処理が完了した後に発行されるレシートである。また、電子マネーレシートは、電子マネー宣言キーが押下されて、登録装置２０での精算処理が完了した後に発行されるレシートである。また、品券レシートは、品券キーが押下されて、登録装置２０での精算処理が完了した後に発行されるレシートである。また、会計券４０は、会計券キーが押下された場合に発行される。会計券４０には、一取引における買上金額が印字されてもよい。
【００４２】
レシート印刷手段２０９は、サーマルヘッド（不図示）と、プラテンローラ（不図示）とを有する。プラテンローラは、サーマルヘッドに押圧された状態に設置され、ステッピングモータにより駆動される。ＣＰＵ２０１からの制御信号に応じてステッピングモータが駆動することにより、シートは、サーマルヘッドとプラテンローラとの隙間を、所定量だけ搬送される。シートは、例えば、クレジットレシート、電子マネーレシート、品券レシート又は会計券として、レシート印刷手段２０９から発行される。
【００４３】
図６には、会計券の例が示されている。図６（ａ）には、バーコードＣ２が印刷された会計券４０（お会計券）の例が示されている。バーコードＣ２は、取引情報を示す識別情報を表すコードである。ストアコントローラ１０に登録された取引情報は、バーコードＣ２が表す取引情報を示す識別情報（取引の識別番号）に基づいて、ストアコントローラ１０から検索される。一方、図６（ｂ）には、２次元コードＣ１が印刷された会計券４０（お会計券）の例が示されている。２次元コードＣ１は、客が購入した全ての商品の取引情報により定まる商品の明細情報を表すコードである。この場合、取引情報は、２次元コードＣ１に全て記録されているので、ストアコントローラ１０から検索される必要がない。
【００４４】
会計券４０には、取引情報の少なくとも一部、例えば、購入された商品の点数及び買上金額が、買上内容として印字されてもよい。また、会計券４０には、取引情報の少なくとも一部、例えば、取引日時が印字されてもよい。また、会計券４０の一部領域（例えば、下半分の領域）には、クーポン券（不図示）が印刷されてもよい。
【００４５】
図３に戻り、登録装置の構成例の説明を続ける。クレジットカード読取部２１１は、クレジットカード（媒体）を挿入可能な構造を有する。クレジットカード読取部２１１は、挿入されたクレジットカードに記憶されている顧客情報を、磁気などを用いて読み取り、読み取った情報をＣＰＵ２０１に出力する。
【００４６】
電子マネー読取部２１２は、電子マネーカード（媒体）を挿入可能な構造を有する。電子マネー読取部２１２は、挿入された電子マネーカードに記憶されている金額情報を無線により読み取り、読み取った金額情報をＣＰＵ１０１に出力する。電子マネー読取部２１２は、ＣＰＵ２０１から入力された買上金額が差し引かれた金額情報を、挿入された電子マネーカードに記憶させる。
【００４７】
図７は、品券による精算を実行する登録装置（図３を参照）の動作手順を示すフローチャートである。釣銭として支払われる紙幣又は硬貨の枚数が多くならないようにするために、客は、釣銭に追加する現金を精算装置３０に投入したい旨を、登録装置２０を操作する店員に申し出ることができる。釣銭に追加する現金を精算装置３０に投入したい旨を申し出た客は、登録装置２０で支払った品券により発生した釣銭に追加する現金を、精算装置３０に投入して、その釣銭の金額を切りのよい金額（例えば、下一桁が値０、又は、下二桁が値００）に調整することができる。
【００４８】
（ステップＳ１）スキャナ部２０４は、店員による操作により、商品に付されているバーコード（商品コード）を、光学的に読み取る。ＣＰＵ２０１は、スキャナ部２０４に読み取られたバーコード・データに基づいて、商品の取引情報をＲＡＭ２０３に登録する。
【００４９】
（ステップＳ２）ＣＰＵ２０１は、操作部２０６を介した操作入力に基づいて、品券情報（例えば、客が支払った品券の額面金額）を取得する。ここで、客が支払った品券の額面金額から買上金額を減算した金額の釣銭が発生したものとする。
【００５０】
例えば、買上金額が８０１円であり、品券の額面金額が１０００円である場合、額面金額から買上金額を減算した金額として、釣銭の金額は１９９円となる。釣銭の金額が切りのよい金額に調整されなければ、釣銭としての１９９円は、例えば、１００円硬貨１枚、５０円硬貨１枚、１０円硬貨４枚、５円硬貨１枚、及び、１円硬貨４枚からなる計１１枚もの硬貨により、精算装置３０から支払われることになる。一方、調整前の釣銭に１円が追加されることで、最終的に支払われる釣銭の金額が調整されれば、調整後の釣銭としての２００円は、１００円硬貨２枚のみにより、精算装置３０から支払われることになる。
【００５１】
（ステップＳ３）釣銭に追加する現金を精算装置３０に投入したい旨を客が店員に申し出た場合、登録装置２０を操作する店員は、現金追加キー５５０（図４又は図５を参照）を押下する。ＣＰＵ２０１は、操作部２０６を介した操作入力に基づいて、現金追加キー５５０が押下されたか否かを判定する。現金追加キー５５０が押下された場合（ステップＳ３：Ｙｅｓ）、ＣＰＵ２０１は、ステップＳ４に処理を進める。一方、現金追加キー５５０が押下されていない場合（ステップＳ３：Ｎｏ）、ＣＰＵ２０１は、ステップＳ５に処理を進める。
【００５２】
（ステップＳ４）ＣＰＵ２０１は、初期値では無効（例えば、値０）に設定されていた現金追加フラグを示す値を「有効（例えば、値１）」に設定し、ステップＳ５に処理を進める。
（ステップＳ５）ＣＰＵ２０１は、操作部２０６を介した操作入力に基づいて、会計キー５４０又は会計券キー５２０が押下されたか否かを判定する。会計キー５４０又は会計券キー５２０が押下された場合（ステップＳ５：Ｙｅｓ）、ＣＰＵ２０１は、ステップＳ６に処理を進める。一方、会計キー５４０及び会計券キー５２０のいずれも押下されていない場合（ステップＳ５：Ｎｏ）、ＣＰＵ２０１は、ステップＳ９に処理を進める。
【００５３】
（ステップＳ６）ＣＰＵ２０１は、現金追加フラグが有効であるか否かを判定する。現金追加フラグが有効である場合（ステップＳ６：Ｙｅｓ）、ＣＰＵ２０１は、ステップＳ７に処理を進める。一方、現金追加フラグが無効である場合（ステップＳ６：Ｎｏ）、ＣＰＵ２０１は、ステップＳ８に処理を進める。
【００５４】
（ステップＳ７）ＣＰＵ２０１は、現金追加フラグを取引情報に含め（付加し）、取引情報を示す識別情報をバーコード化する。ＣＰＵ２０１は、現金追加フラグを取引情報に含め（付加し）、取引情報により定まる商品の明細情報を２次元コード化してもよい。ここで、ＣＰＵ２０１は、例えば、取引情報のデータ量が閾値未満である場合に、現金追加フラグを含む取引情報を示す識別情報をバーコード化し、取引情報のデータ量が閾値以上である場合には、現金追加フラグを示す値を含む取引情報により定まる商品の明細情報を、２次元コード化してもよい。
【００５５】
（ステップＳ８）ステップＳ５において会計券キー５２０が押下された場合、ＣＰＵ２０１は、取引情報を示す識別情報が印字されたバーコード（図６（ａ）を参照）が印字された会計券４０を、レシート印刷手段２０９から発行させる。通信部２０７は、ストアコントローラ１０に、取引情報を送信して登録する。ＣＰＵ２０１は、取引情報の内容を示す２次元コード（図６（ｂ）を参照）が印字された会計券４０を、レシート印刷手段２０９から発行させてもよい。一方、ステップＳ５において会計キー５４０が押下された場合、通信部２０７は、精算装置選択キー５３０により選択された精算装置３０に、取引情報を送信する。この場合、ＣＰＵ２０１は、選択された精算装置３０に対して、通信部２０７から取引情報を直接送信させてもよい。また、ＣＰＵ２０１は、選択された精算装置３０に対して、通信部２０７からストアコントローラ１０（上位装置）を介して取引情報を送信させてもよい。
【００５６】
次に、精算装置の詳細について説明する。
図８には、精算装置の構成例がブロック図により示されている。精算装置３０は、ＣＰＵ３０１と、ＲＯＭ３０２と、ＲＡＭ３０３と、スキャナ部３０４と、読取報知手段３０４ａと、表示部３０５と、操作部３０６と、通信部３０７と、ブザー３０８と、印刷部３０９と、印刷報知手段３０９ａと、決済端末３１０と、決済報知手段３１０ａと、決済端末３１１と、決済報知手段３１１ａと、決済端末３１２と、決済報知手段３１２ａと、サインポール３１３と、人感知センサ３１４とを備える。精算装置３０の各部は、バスを介して互いに接続されている。なお、スキャナ部３０４は、精算装置３０に着脱可能な別体（外付）であってもよい。
【００５７】
ＣＰＵ３０１は、中央演算処理装置である。ＣＰＵ３０１は、ＲＯＭ３０２に記憶されているプログラムを読み出して、ＲＡＭ３０３に展開する。ＣＰＵ３０１は、展開されたプログラムの各ステップを実行することによって、精算装置３０の各部を制御する。
【００５８】
また、ＣＰＵ３０１は、スキャナ部３０４が読み取ったシートに印刷されたコードの内容を認識する。例えば、ＣＰＵ３０１は、登録装置２０による登録が完了した取引情報のうち、精算が完了していない取引について発行された会計券４０に印字されているバーコード又は２次元コードが示す内容を認識する。
【００５９】
より具体的には、ＣＰＵ３０１は、スキャナ部３０４によって読み取られた画像データにＯＣＲ（Ｏｐｔｉｃａｌ  Ｃｈａｒａｃｔｅｒ  Ｒｅａｄｅｒ）処理を施すことにより、会計券４０に印字されているバーコード又は２次元コードが示す内容を認識する。ここで、バーコードが示す内容は、例えば、ストアコントローラ１０に登録されている取引情報を示す識別情報である。また、２次元コードが示す内容は、例えば、登録装置２０により登録された取引情報により定まる商品の明細情報である。
【００６０】
ＣＰＵ３０１は、スキャナ部３０４によってバーコードが読み取られた場合、バーコードが示す内容（取引情報を示す識別情報）に基づいて、取引情報により定まる商品の明細情報をストアコントローラ１０から取得し、取引情報により定まる商品の明細情報をＲＡＭ３０３に記憶させる。ＣＰＵ３０１は、スキャナ部３０４によって２次元コードが読み取られた場合、２次元コードが示す内容（取引情報により定まる商品の明細情報）を、ＲＡＭ３０３に記憶させる。取引情報には、現金追加フラグを示す値が含まれていてもよい。また、明細情報には、買上金額が含まれていてもよい。ＣＰＵ３０１は、取引情報により定まる商品の買上金額を精算する。ここで、ＣＰＵ２０１は、精算手順を客に案内するためのガイダンス画像を、表示部（店員用）２０５に表示させる。
【００６１】
スキャナ部３０４は、シート（例えば、会計券）に付されているバーコード又は２次元コードを、光学的に読み取る。
ＲＯＭ３０２は、読み出し専用のメモリであり、精算装置３０を動作させるためのプログラムを予め記憶する。
【００６２】
ＲＡＭ３０３は、種々の情報を記憶する読み出し書き込みメモリである。種々の情報は、例えば、取引情報により定まる商品の明細情報である。また、ＲＡＭ３０３には、ＲＯＭ３０２から読み出されたプログラムが展開される。また、ＲＡＭ３０３は、プログラムが実行されることによって生成された各種データを記憶する。
【００６３】
操作部３０６は、精算装置３０を動作させるための操作手段を備える。この操作手段（入力デバイス）は、例えば、キーボード、ポインティングデバイス（マウス、タブレット等）、ボタン又はタッチパネルである。操作手段は、例えば、精算キーである。精算キーは、精算処理を実行させる指示をＣＰＵ３０１に操作入力する際、客によって操作される操作キーである。
【００６４】
なお、操作手段は、メカキー（ハードキー）などのボタンとして配置されていてもよいし、表示部３０５の表示面上に設けられたタッチパネルに、操作キーの画像として表示されてもよい。
【００６５】
表示部３０５は、ＣＲＴディスプレイ、液晶ディスプレイ、有機ＥＬディスプレイなどの表示装置である。表示部３０５は、透明な接点スイッチであるタッチキー（ソフトキー）が設けられたタッチパネルを有する。表示部３０５は、操作部３０６としてのタッチパネルを有していてもよい。表示部３０５は、モード切替、設定又は登録などの操作入力を受け付ける。表示部３０５は、ＣＰＵ３０１によって認識されたバーコード又は２次元コードが示す内容（取引情報）により定まる商品の明細情報（例えば、買上金額）を表示する。
【００６６】
図９には、精算装置に表示されるガイダンス画像の例が示されている。会計券４０（図６を参照）を使用しないで客が精算する場合、ガイダンス画像は、精算装置選択キー５３０のいずれかに続いて会計キー５４０（図５を参照）が押下された段階で、その選択された精算装置３０の表示部３０５に表示される。したがって、選択された精算装置３０に客が行くと、その選択された精算装置３０は、ガイダンス画像をすでに表示して、精算可能な状態となっている。一方、会計券４０を使用して客が精算する場合、ガイダンス画像は、会計券４０に印字されているバーコードが精算装置３０のスキャナ部３０４で読み取られることにより取引情報が特定され、その特定された取引情報に基づいて表示される。
【００６７】
ＣＰＵ３０１は、現金追加フラグを示す値が有効を示す値（例えば、値１）である場合、現金による精算処理を進めるためのガイダンス画像を、表示部３０５に表示させる。図９では、文字列「追加する現金を投入してください」（現金を投入すべき旨）と、文字列「お買上金額  ８０１円」（合計金額）と、文字列「品券額（品券の額面金額）  １０００円」と、文字列「釣銭額  １９９円」と、文字列「あと１円追加で、２００円になります。」とが表示されている。また、ガイダンス画像には、決済端末３１１の外観及び操作手順を表す動画像が表示されてもよい。
【００６８】
釣銭に追加する現金を精算装置３０に投入したい旨を、登録装置２０を操作する店員に申し出た客は、釣銭に追加する現金を、ガイダンス画像に従って精算装置３０の決済端末３１１に投入して、その釣銭の金額を切りのよい金額に調整することができる。
【００６９】
また、ガイダンス画像には、精算装置３０に精算処理を開始させるための操作キー「精算」（精算キー）が、表示されている。ＣＰＵ３０１は、操作キー「精算」が押下された場合、差額を算出するなどの精算処理を開始するとともに、印刷部３０９を制御して買上シートを発行させる。また、決済端末３１１は、ＣＰＵ３０１から入力された差額情報に応じた金額の釣銭又は釣札を、現金払出口から払い出す。なお、ＣＰＵ３０１は、印刷部３０９を制御してクーポン券を発行させてもよい。
【００７０】
なお、ＣＰＵ３０１は、現金追加フラグを示す値が無効を示す値（例えば、値０）であり、かつ、操作部３０６を介して客が現金による精算を選択した場合、文字列「追加する現金を投入してください」（現金を投入すべき旨）を非表示にして、文字列「お買上金額を確認しお金をいれてください」を、現金による精算処理を進めるためのガイダンス画像として、表示部３０５に表示させてもよい。これにより、客は、精算装置３０から支払われる釣銭額を考慮して、現金を追加することができる。
【００７１】
また、ＣＰＵ３０１は、現金追加フラグを示す値が無効を示す値（例えば、値０）である場合、２次元コード（図６（ｂ）を参照）又は１次元コード（図６（ａ）を参照）がスキャナ部２０４により会計券４０から読み取られた際、文字列「追加する現金を投入してください。」の代わりに、文字列「精算キーを押してください。」を表示させてもよい。また、ＣＰＵ３０１は、図９では文字列「釣銭額」の近傍に表示されていた文字列「あと１円追加で２００円になります。」を、非表示にしてもよい。これにより、客は、精算キーを押下操作すれば精算装置３０から釣銭が支払われて精算が完了することが分かるので、迅速に精算を済ませることができる。
【００７２】
よって、現金を追加したい旨を登録装置２０で店員に宣言した客は、精算装置３０で現金を追加することができる。一方、現金を追加したい旨を登録装置２０で店員に宣言しなかった客は、これまで通りに精算装置３０で単に「精算」キーを押下操作すれば、精算を完了させることができる。したがって、ＰＯＳシステムは、客に余計な操作を要求することなく、客に応じた精算の仕方を実現することができる。
【００７３】
図８に戻り、精算装置の構成例の説明を続ける。ブザー３０８は、ＣＰＵ３０１による制御により、ブザー音を発生させる。
通信部３０７は、ネットワークを介して、ストアコントローラ１０及び登録装置２０と通信する。なお、ネットワークは、どのように構成されたネットワーク（例えば、無線通信ネットワーク）でもよく、ＬＡＮ１１に限らなくてもよい。
【００７４】
印刷部３０９は、所定の情報（例えば、精算が完了した取引情報により定まる商品の明細情報）を買上シートに印刷し、その買上シートを発行する。印刷部３０９は、サーマルヘッド（不図示）と、プラテンローラ（不図示）とを有する。プラテンローラは、サーマルヘッドに押圧された状態に設置され、ステッピングモータにより駆動される。ＣＰＵ３０１からの制御信号に応じてステッピングモータが駆動することにより、買上シートは、サーマルヘッドとプラテンローラとの隙間を、所定量だけ搬送される。
【００７５】
印刷報知手段３０９ａは、印刷部３０９の近傍に備えられる。印刷報知手段３０９ａは、例えば、赤色ＬＥＤ（Ｌｉｇｈｔ  Ｅｍｉｔｔｉｎｇ  Ｄｉｏｄｅ）を有する。印刷報知手段３０９ａは、点滅又は点灯することにより、印刷部３０９が操作可能である旨と、印刷部３０９の所在位置とを報知する。
【００７６】
決済端末３１０（釣銭釣札部）は、取引情報により定まる商品の買上金額の精算において、現金による決済を実行し、決済を実行した結果（例えば、決済が成立したか否かを示す情報）を、バスを介してＣＰＵ３０１に出力する。決済端末３１０は、現金受付部（例えば、紙幣投入口、硬貨投入口）と、釣銭排出口と有する。紙幣投入口は、紙幣の投入及び排出をするための投入口である。硬貨投入口は、硬貨を投入するための投入口である。釣銭排出口は、釣銭又は釣札を排出する（支払う）ための排出口である。
【００７７】
決済報知手段３１０ａは、決済端末３１０の近傍に備えられる。決済報知手段３１０ａは、第１決済報知手段と、第２決済報知手段と、第３決済報知手段とを有する。第１決済報知手段は、紙幣投入口の近傍に備えられる。第１決済報知手段は、例えば、赤色ＬＥＤを有し、点滅又は点灯することにより、紙幣投入口が操作可能である旨と、紙幣投入口の所在位置とを報知する。第２決済報知手段は、硬貨投入口の近傍に備えられる。第２決済報知手段は、例えば、赤色ＬＥＤを有し、点滅又は点灯することにより、硬貨投入口が操作可能である旨と、硬貨投入口の所在位置とを報知する。第３決済報知手段は、釣銭排出口の近傍に備えられる。第３決済報知手段は、例えば、赤色ＬＥＤを有し、点滅又は点灯することにより、釣銭排出口が操作可能である旨と、釣銭排出口の所在位置とを報知する。
【００７８】
決済端末３１１は、取引情報により定まる商品の買上金額の精算において、クレジットにより決済を実行し、決済を実行した結果を、バスを介してＣＰＵ３０１に出力する。
決済報知手段３１１ａは、例えば、赤色ＬＥＤを有し、点滅又は点灯することにより、決済端末３１１が操作可能である旨と、決済端末３１１の所在位置とを報知する。
【００７９】
決済端末３１２は、取引情報により定まる商品の買上金額の精算において、電子マネーにより決済を実行し、決済を実行した結果を、バスを介してＣＰＵ３０１に出力する。
決済報知手段３１２ａは、例えば、赤色ＬＥＤを有し、点滅又は点灯することにより、決済端末３１２が操作可能である旨と、決済端末３１２の所在位置とを報知する。決済報知手段３１２ａは、電子マネーカード（媒体）から金額情報などを読み取るための電子マネー読取部（不図示）の近傍に備えられてもよい。
【００８０】
サインポール３１３は、例えば、発光部を有し、点滅又は点灯することにより、精算装置３０が操作可能である旨を報知する。
人感知センサ３１４は、精算装置３０に対する所定の位置に客がいることを検知するセンサである。人感知センサ３１４は、例えば、赤外線を検出することにより、客がいることを検知してもよい。
【００８１】
以上のように、ＰＯＳシステムは、購入される商品に基づく取引情報を取引毎に登録（例えば、ＲＡＭ２０３に登録、ストアコントローラ１０に登録）するＣＰＵ２０１（登録部）と、取引情報により定まる商品の買上金額よりも額面金額の多い品券を受け付ける品券受付部（例えば、操作部２０６の品券キーを介して、品券を受け付けるＣＰＵ２０１）と、予め定められた操作入力（例えば、現金追加キー５５０の押下操作）（精算装置３０では品券以外での精算をする旨）を受け付ける操作部２０６と、を有する登録装置２０と、予め定められた操作入力（精算装置３０では品券以外での精算をする旨）を取引毎に操作部２０６が受け付けた場合、現金を受け付け可能にする決済端末３１０（現金受付部）と、額面金額から買上金額を減算した金額と、決済端末３１０（現金受付部）が受け付けた現金の金額と、を加算した金額の釣銭を払い出す決済端末３１０（釣銭釣札部）と、を有する精算装置３０と、を備える。
【００８２】
この構成により、精算装置３０の決済端末３１０は、額面金額から買上金額を減算した金額と、決済端末３１０が受け付けた現金の金額と、を加算した金額の釣銭を払い出す。これにより、ＰＯＳシステムは、客に応じた精算をすることができる。ＰＯＳシステムは、釣銭として支払われる紙幣又は硬貨の枚数が多くならないようにすることができる（品券のお釣り調整）。また、これまで品券のみで支払うことにより精算を迅速に済ませていた客にとっても、ＰＯＳシステムは、精算装置を操作して現金で支払っても精算を迅速に済ませることができ、かつ、釣銭として支払われる紙幣又は硬貨の枚数が多くならないようにすることができる。
【００８３】
つまり、客は、小銭が増えることを避けることができる。また、予め定められた操作入力を操作部２０６が受け付けた場合に、精算装置３０が現金を受け付けるので、客は、精算処理を実行する精算装置３０の操作を誤ることがない。また、ＰＯＳシステムは、迅速に精算することができる。また、現金を追加したい旨を登録装置２０で店員に宣言した客のみが、精算装置３０で現金の追加をすることができる。一方、現金を追加したい旨を登録装置２０で店員に宣言しなかった客は、これまで通りに精算装置３０で単に「精算」キーを押下操作すれば、精算を完了させることができる。したがって、ＰＯＳシステムは、客に余計な操作を要求することなく、客に応じた精算の仕方を実現することができる。
【００８４】
登録装置２０は、予め定められた操作入力（例えば、現金追加キー５５０の押下操作）を受け付けた旨を示す操作入力情報と、取引情報と、を対応付けて出力する通信部２０７（出力部）を有してもよい。精算装置３０は、精算する取引における操作入力情報と、取引情報と、を特定する通信部３０７（特定部）を有してもよい。精算装置３０の決済端末３１０（現金受付部）は、通信部３０７（特定部）が操作入力情報を特定した場合、予め定められた操作入力を登録装置２０の操作部２０６が受け付けたと認識し、現金を受け付け可能にしてもよい。
【００８５】
登録装置２０は、取引情報を媒体（例えば、会計券４０）に印刷するレシート印刷手段２０９（印刷部）を有してもよい。精算装置３０は、取引情報を媒体から読み取るスキャナ部３０４（読取部）を有してもよい。決済端末３１０（現金受付部）は、媒体（例えば、会計券４０）から読み取られた取引情報に、操作入力情報が対応付けられている場合、予め定められた操作入力（例えば、現金追加キー５５０の押下操作）を操作部２０６が受け付けたと認識し、現金を受け付け可能としてもよい。
【００８６】
登録装置２０は、購入される商品に基づく取引情報を登録するＣＰＵ２０１（登録部）と、精算装置３０にて現金を受け付け可能とするための操作入力を受け付ける操作部２０６と、現金を受け付け可能とするための操作入力情報と、取引情報と、を対応付けて出力する出力部（例えば、レシート印刷手段２０９、通信部２０７）と、を備える。
【００８７】
これにより、登録装置２０は、釣銭として支払われる紙幣又は硬貨の枚数が多くならないようにすることができる（品券のお釣り調整）。つまり、品券のみで支払うことによりこれまで精算を迅速に済ませていた客にとっても、登録装置２０は、現金で支払っても精算を迅速に済ませることができ、かつ、釣銭として支払われる紙幣又は硬貨の枚数が多くならないようにすることができる。
【００８８】
また、現金を追加したい旨を登録装置２０で店員に宣言した客のみが、精算装置３０で現金の追加をすることができる。一方、現金を追加したい旨を登録装置２０で店員に宣言しなかった客は、これまで通りに精算装置３０で単に「精算」キーを押下操作すれば、精算を完了させることができる。したがって、ＰＯＳシステムは、客に余計な操作を要求することなく、客に応じた精算の仕方を実現することができる。しかも、登録装置２０で店員がキー操作をすることにより、精算の仕方を切り替えることが可能なので、客は、特別な操作をすることなく、自分の望む精算の仕方にて精算をすることができる。
【００８９】
精算装置３０は、購入される商品に基づく取引情報に基づいて取引毎に精算する精算部（例えば、ＣＰＵ３０１、決済端末３１０）と、取引にて現金を受け付け可能とするための操作入力を登録装置２０が受け付けたか否かを判定する判定部（例えば、ＣＰＵ３０１）と、現金を受け付け可能とするための操作入力を登録装置２０が受け付けた場合、現金を投入すべき旨を表示する表示部３０５と、を備える。
【００９０】
これにより、精算装置３０は、釣銭として支払われる紙幣又は硬貨の枚数が多くならないようにすることができる（品券のお釣り調整）。また、品券のみで支払うことによりこれまで精算を迅速に済ませていた客にとっても、精算装置３０は、現金で支払っても精算を迅速に済ませることができ、かつ、釣銭として支払われる紙幣又は硬貨の枚数が多くならないようにすることができる。
【００９１】
以上、この発明の実施形態について図面を参照して詳述してきたが、具体的な構成はこの実施形態に限られるものではなく、この発明の要旨を逸脱しない範囲の設計等も含まれる。
【００９２】
例えば、精算装置３０のＣＰＵ３０１は、取引情報により定まる商品の明細情報（例えば、商品の名称、商品の値段、買上点数と、小計（金額）、及び、合計（買上金額））を、操作部３０６を介した操作入力に応じて、表示部３０５に表示させてもよい。
【００９３】
また、例えば、精算装置３０のＣＰＵ３０１は、精算処理が完了した際、文字列「お釣りとレシートをお取りください。ありがとうございました。」と、レシートの排出口を示すガイダンス画像と、釣銭の払出口を示すガイダンス画像とを、表示部３０５に表示させてもよい。
【００９４】
なお、上記に説明した登録装置、精算装置、及び、ＰＯＳシステムを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００９５】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９７】
１０…ストアコントローラ、１１…ＬＡＮ、２０…登録装置、３０…精算装置、４０…会計券、Ｃ１…二次元コード、Ｃ２…バーコード、２０１…ＣＰＵ、２０２…ＲＯＭ、２０３…ＲＡＭ、２０４…スキャナ部、２０５…表示部（店員用）、２０５ａ…表示部（客用）、２０６…操作部、２０７…通信部、２０８…ブザー、２０９…レシート印刷手段、２１０…ハードディスク、２１１…クレジットカード読取部、２１２…電子マネー読取部、３０１…ＣＰＵ、３０２…ＲＯＭ、３０３…ＲＡＭ、３０４…スキャナ部、３０４ａ…読取報知手段、３０５…表示部、３０６…操作部、３０７…通信部、３０８…ブザー、３０９…印刷部、３０９ａ…印刷報知手段、３１０…決済端末、３１０ａ…決済報知手段、３１１…決済端末、３１１ａ…決済報知手段、３１２…決済端末、３１２ａ…決済報知手段、３１３…サインポール、３１４…人感知センサ、５００…電子マネー宣言キー、５１０…クレジット宣言キー、５２０…会計券キー、５３０…精算装置選択キー、５４０…会計キー、５５０…現金追加キー
【図１】
2020009497.tif 000003
【図２】
2020009497.tif 000004
【図３】
2020009497.tif 000005
【図４】
2020009497.tif 000006
【図５】
2020009497.tif 000007
【図６】
2020009497.tif 000008
【図７】
2020009497.tif 000009
【図８】
2020009497.tif 000010
【図９】
2020009497.tif 000011
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
登録装置と、複数の精算装置とを含むＰＯＳシステムであって、
前記登録装置は、
購入される商品に基づく取引情報を取引毎に登録する登録部と、
前記登録部で登録された取引情報に基づいて当該取引の精算処理を実行させる精算装置を選択する操作を受け付ける第１の操作ボタンと、当該取引における合計金額と、を同一画面に表示可能であり、前記登録部で登録された取引情報に基づいて当該取引の精算を当該登録装置側で完了させることを宣言する操作を受け付ける第２の操作ボタンを表示可能な表示部と、
前記第１の操作ボタンの操作を受け付けた場合に、前記登録部で登録された取引情報を当該操作によって選択された精算装置で精算可能に送信する送信部と、
前記第２の操作ボタンの操作を受け付けた場合に、前記登録部で登録された取引情報に基づいて当該取引の精算を完了させるための精算処理を実行する第１精算部とを有し、
前記精算装置は、
前記送信部から送信された取引情報に基づいて精算処理を実行する第２精算部を有することを特徴とするＰＯＳシステム。
【請求項２】
複数の精算装置と通信可能な登録装置であって、
購入される商品に基づく取引情報を取引毎に登録する登録部と、
前記登録部で登録された取引情報に基づいて当該取引の精算処理を実行させる精算装置を選択する操作を受け付ける第１の操作ボタンと、当該取引における合計金額と、を同一画面に表示可能であり、前記登録部で登録された取引情報に基づいて当該取引の精算を当該登録装置側で完了させることを宣言する操作を受け付ける第２の操作ボタンを表示可能な表示部と、
前記第１の操作ボタンの操作を受け付けた場合に、前記登録部で登録された取引情報を当該操作によって選択された精算装置で精算可能に送信する送信部と、
前記第２の操作ボタンの操作を受け付けた場合に、前記登録部で登録された取引情報に基づいて当該取引の精算を完了させるための精算処理を実行する精算部とを備えることを特徴とする登録装置。
【請求項３】
表示部を備え、複数の精算装置と通信可能な登録装置としてコンピュータを機能させるプログラムであって、
前記コンピュータを、
購入される商品に基づく取引情報を取引毎に登録する登録手段、
前記登録手段で登録された取引情報に基づいて当該取引の精算処理を実行させる精算装置を選択する操作を受け付ける第１の操作ボタンと、当該取引における合計金額と、を前記表示部の同一画面に表示させ、前記登録手段で登録された取引情報に基づいて当該取引の精算を当該登録装置側で完了させることを宣言する操作を受け付ける第２の操作ボタンを前記表示部に表示させる表示制御手段、
前記第１の操作ボタンの操作を受け付けた場合に、前記登録手段で登録された取引情報を当該操作によって選択された精算装置で精算可能に送信する送信手段、
前記第２の操作ボタンの操作を受け付けた場合に、前記登録手段で登録された取引情報に基づいて当該取引の精算を完了させるための精算処理を実行する精算手段として機能させるプログラム。
【請求項４】
表示部を備え、複数の精算装置と通信可能な登録装置における販売データ処理方法であって、
購入される商品に基づく取引情報を取引毎に登録する登録ステップと、
前記登録ステップで登録された取引情報に基づいて当該取引の精算処理を実行させる精算装置を選択する操作を受け付ける第１の操作ボタンと、当該取引における合計金額と、を前記表示部の同一画面に表示し、前記登録ステップで登録された取引情報に基づいて当該取引の精算を当該登録装置側で完了させることを宣言する操作を受け付ける第２の操作ボタンを前記表示部に表示する表示ステップと、
前記第１の操作ボタンの操作を受け付けた場合に、前記登録ステップで登録された取引情報を当該操作によって選択された精算装置で精算可能に送信する送信ステップと、
前記第２の操作ボタンの操作を受け付けた場合に、前記登録ステップで登録された取引情報に基づいて当該取引の精算を完了させるための精算処理を実行する精算ステップとを含む販売データ処理方法。